(57)【要約】【課題】従来例では、下部の水密を形成する板ゴムは軸受兼用押え板の上面と鋼板製の扉体の下部の上流面とにそれぞれボルトと押え板によって取り付けられるから両者間の漏水は完全に防止できるけれど、アンカーボルトと押え板によって水路底に押し付けて密閉しつつ水路底に固定したときの空気袋の開いた辺の堰幅方向の寸法を精度良く堰幅に一致させることが困難で空気袋の両端部と側面戸当の間に隙間を生じやすく、漏水を生じることがある。【解決手段】据付前に空気袋の開いて製造された辺の押え板で押えられる部分を密着状態に接着した上でその両側端外側に端面が整った平面であり、端面の間の寸法が起伏ゲートの堰幅に精度良く一致するようにしたゴムの突起部を設けることにした。【選択図】　　　　　図５
2004107933.tif 000002
【特許請求の範囲】
【請求項１】
水路底に並べて設置したアンカーボルトと押え板とによって３辺が閉じ１辺が開いた平らな長方形に製作したゴム引布製の空気袋の開いた辺を水路の底に押え付けることによって、空気袋の開いた辺を密閉しつつ、水路底に固定した上で、陸上の空気操作装置から空気管を接続して空気袋の内部に空気を圧入して膨張させ、あるいは排出して縮小させることにより、水路底のアンカーボルトに沿う位置に回転中心を有し、空気袋に被さる位置に設置した鋼製扉体を起立あるいは倒伏させるようにした空気袋式起伏ゲートにおいて、空気袋の開いた辺を圧着しつつ接着して水路底において密閉されつつ固定される時の状態にした上で、開いて製造された辺の両側端外側に端面が整った平面であり、端面の間の寸法が起伏ゲートの堰幅に精度良く一致したゴムの突起部を設けることにより、空気袋の側端部の水密を良好としたことを特徴とする空気袋式起伏ゲート。
【発明の詳細な説明】
【０００１】
【発明が属する技術分野】この発明は、水路底に起伏自由に固定された鋼製扉体が起立すれば流水を堰上げ、倒伏すれば放流するよう機能する鋼製起伏ゲートにおいて、鋼製扉体の起伏時の回転中心に沿って鋼製扉体の下流側の根元部に設けた空気袋に圧縮空気を送入して膨張させ、あるいは排出して収縮させることにより起伏運動を行なう空気袋式起伏ゲートに関するものである。
【０００２】
【従来の技術】空気袋式起伏ゲートにおいて、空気袋は３辺が閉じ１辺が開いた長方形のゴム引布製であり、開いた辺の長さが起伏ゲートの堰幅に一致する。
このような空気袋の開いた辺を水路底に並べて設置したアンカーボルトと押え板によって水路底に押し付けることにより、開いた辺を密閉しつつ水路底に固定した上で、陸上の空気操作装置から空気管を接続して空気袋の内部に空気を圧入して膨張させ、あるいは排出して縮小させることにより、水路底のアンカーボルトに沿う位置に回転中心を有し、空気袋に被さる位置に設置した鋼製扉体を起立あるいは倒伏させるのである。
【０００３】このような空気袋式起伏ゲートにおいては、空気袋が水路の幅全体に分布して存在しており、鋼製扉体を下流側から支持するに際して、荷重が集中しないから鋼製扉体は鋼板を折り曲げたもの、あるいは流水の方向のリブを上流側の面に直角の姿勢で溶接取付けした鋼板等、簡単な構造によって必要な強度を確保することができるので、経済性に優れた起伏ゲートである。
【０００４】またこのような空気袋式起伏ゲートにおける水密に関しては、水路底と空気袋の間や空気袋と押え板との間では空気袋がゴム引布製であるため密着が良く、良好な水密状態となる。
【０００５】
【発明が解決しようとする課題】しかし、空気袋の開いて製作した辺の押え板で水路底に押し付けた部分の側端部と側面戸当金物との間には据付が完了しても隙間が残存し、液状コーキング等を充填しても漏水が止まらない不具合が発生することがある。
これは、アンカーボルトと押え板によって空気袋の開いた辺を水路底に押し付けた時の変形量が不安定で作業者の技量では処置できない内容であり、空気袋の形状の改良が必要であると考えられる。
【０００６】
【課題を解決するための手段】そこでこの発明の空気袋式起伏ゲートでは、３辺が閉じ１辺が開いた平らな長方形に製作したゴム引布製の空気袋の開いた辺の２枚の縁を相互に密着した状態に接着した上で、開いて製造された辺の両側端外側に端面が整った平面であり、端面の間の寸法が空気袋式起伏ゲートの堰幅に精度良く一致するようにしたゴムの突起部を設けることにした。
このようにすれば、空気袋の開いて製造された辺の両側端においても側面戸当金物や水路底に良好な密着状態とすることが容易となり、作業者の技量に関係なく良好な水密状態が確保されるのである。
【０００７】
【発明の実施の形態】以下、この発明の空気袋式起伏ゲートの実施の形態を図面に基づき詳述する。
図１、図２、図３、図４、図５ならびに図６はこの空気袋式起伏ゲートの１実施例を示すものであり、図１は空気袋式起伏ゲートの背面図、図２は空気袋式起伏ゲートの断面図でともに起立状態を示し、図３は空気袋式起伏ゲートの断面図で倒伏状態を示し、図４は扉体の説明図であり、図５は空気袋の説明図、図６は製作したばかりの空気袋の説明図である。
【０００８】図１、図２および図３において、断面が長方形の水路の底のコンクリートの上面１に水路を横断して１列に設置した鉛直のアンカーボルト２が固定台兼用押え板３によって、空気を排出したとき平らな長方形に縮小する３辺が閉じ１辺が開いたゴム引布製の空気袋４の開いた辺の縁５を水路の底のコンクリートの上面１に押え付けることによって、空気袋４の開いた辺を密閉すると同時に、空気袋４を水路の底のコンクリートの上面１に固定する。
【０００９】次に、固定台兼用押え板３の上面に十分な強度を有するゴム引布製の繋ぎ板６の１辺をボルト７と押え板８によって強固に固定し、他の辺を鋼板製の扉体９の下部の上流面に、ボルト１０と押え板１１とにより強固に固定することによって、鋼板製の扉体９を固定台兼用押え板３に起伏自在に繋ぐと同時に、両者間の漏水を防止する。
加えて、水路の底の空気袋４より下流側の適当な位置のコンクリートの上面１２に設置したアンカーボルト１３と押え板１４で一端をコンクリートの上面１２に固定した十分な強度を有するゴム引布製の帯１５の他端を扉体９の下流側の面の空気袋４の接触する位置より上の適当な位置にボルト１６と押え板１７で固定することにより、扉体９が所定位置まで起立したときには、この帯１５に作用する張力により扉体９が停止するようにする。
【００１０】次に扉体９の頭部の曲げ加工部１８は、起立時には扉体９を越流する水を下流側に導くことにより、越流する水や一緒に流下する流木等が空気袋４や帯１５等を打たないよう保護する。
また倒伏時には、扉体９の頭部の曲げ加工部１８の先端が支持台１９に支持されて、コンクリートの上面１、コンクリートの上面１２、ならびに扉体９によって必要な空間を確保するから、空気袋４や帯１５は扉体９に押し潰されることがない。
【００１１】図４に示すように、鋼板製の扉体９は、堰幅より少し小さい幅方向の寸法と、起立時に必要な起立高を確保するために必要な長さを有するものであって、この鋼板製の扉体９の頭部には曲げ加工部１８が形成され、その下端に固定台兼用押え板３の厚さとほぼ等しい直径の丸棒鋼２０を溶接して扉体９が起伏運動をするに際して、扉体９の下端が空気袋４の上面２１を滑りやすくする。また鋼板製の扉体９の丸棒鋼２０に沿う部分には、繋ぎ板６を固定するボルト１０をねじ込む雌ねじ２２が１列に並んでおり、その上方には、帯１５を固定するボルト１６に合わせたボルト孔２３がある。
【００１２】図５に示すように、空気を排出したときには、平らな長方形となるよう製造された空気袋４の幅の寸法は、ゲート幅より少し小さく、これと直角の方向には、膨張したときに扉体９を押し起すのに十分な寸法を有している。
そして固定台兼用押え板３で押えるべき、開いて製作された辺以外の３辺では、ゴム引布が連続して折れ曲り閉じている。また、開いた辺では、相対する２枚のゴム引布の縁５が圧着されている。この開いた辺においては縁５が圧着されたことにより幅の寸法が若干大きくなり、さらにその側端部外側に端面が整った平面であり、端面の間の幅の寸法（Ｂ）が起伏ゲートの堰幅に精度良く一致させるためのゴムの突起部２４が設けてある。
この圧着された開いて製造された辺の縁５に平行してアンカーボルト２が貫通するための孔２５が２枚のゴム引布の縁５を貫いている。また空気袋４の下側のゴム引布の中央付近には、口金２６が取付けられる。
【００１３】このように構成した上で、空気袋４の下部の口金２６に接続した空気管２７を水路のコンクリートに埋設するなどして陸上に導き、空気操作装置の排気用開閉弁２８、排気用流量調節弁２９、排気放出部３０、給気用開閉弁３１、給気用流量調節弁３２、空気圧縮機３３に、図２および図３のように接続する。
【００１４】その上で空気圧縮機３３から給気用流量調節弁３２、給気用開閉弁３１、空気管２７を経由して空気袋４の内部に空気を圧入した結果、扉体９が起立した状態の断面図が図２であり、扉体９の頭部の曲げ加工部１８が、越流する水を下流に導いて、空気袋４や帯１５を打たないよう機能している。
この状態を下流から見たのが図１であり、空気袋４が扉体９の下流側の根元部にあってほぼ全幅において扉体９を支えている。
【００１５】他方、空気圧縮機３３を停止し、給気用開閉弁３１を閉じ、排気用開閉弁２８を開いて、空気袋４の内部の圧力を有する空気を、排気用流量調節弁２９によって制御しつつ、排気放出部３０から大気中へ放出した結果、扉体９が完全に倒伏した状態の断面図が図３である。
この状態では、水路の底を土砂等が激しく流下することがあるので、固定台兼用押え板３に沿って直上流の水路底３４の落差部には補強のために山形鋼３５を設ける。
【００１６】図６に製作したばかりの空気袋の説明図を示す。ゴム引布製の空気袋４は板状の中子に生ゴムのシートと補強糸を平行に隙間なく並べて生ゴムで結合したスダレ状補強布を設計にしたがって張り付けて形状を整え、これを加硫缶で加圧、加温してゴム引布製の平らな空気袋に仕上げたものである。
このとき平らな長方形に製作した空気袋は内部に空気を圧入されて円筒形に近い形状に膨張し、その状態で補強糸が効果的に作用する必要があるからスダレ状補強布の補強糸の方向は開いた辺に対し約５４°の角度で傾く１対の方向を基本単位とする。
したがって、平らな長方形に製作した空気袋４の３辺ではゴム引布が連続して折れ曲がり閉じているが、中子の取外しのために１辺は開いて製造する。
すなわち、開いて製造された辺では相対する２枚のゴム引布の縁５が板状の中子の厚さだけ離れている。
この開いて製造された辺の縁５を固定台兼用押え板３によって圧着された状態にした上で、両側端外側にゴムの突起部２４を設けたのが、図５に示すこの発明の空気袋式起伏ゲートの空気袋４である。
【００１７】
【発明の効果】この発明の空気袋式起伏ゲートによれば、３辺が閉じ１辺が開いた平らな長方形に製作したゴム引布製の空気袋の開いた辺を圧着して密閉し接着した上で、その両側端部の外側に端面が整った平面のゴムの突起部を設けることにより、空気袋の水路底に固定される部分の幅の寸法を起伏ゲートの堰幅に精度良く一致させることが可能となったので、ゴム引布製の空気袋の側端部からの漏水を完全に防止する、性能の安定した空気袋式起伏ゲートが実現した。
【００１８】加えて、以上のように空気袋の開いて製作した辺を圧着して密閉し接着した上で、その側端部の外側にゴムの突起部を設け、その部分の幅の寸法を起伏ゲートの堰幅に精度良く一致させたから、空気袋のその他の部分の幅の寸法は堰幅に対し確実に小さくなるので、空気袋の膨張、収縮に際して空気袋の閉じた辺の側端部が側面戸当に接触する不具合も防止できた。
さらに、据付前に工場において密着し接着した空気袋の開いて製作された辺の密閉性が向上し、アンカーボルトと押え板で押え付けてもクリープ現象のため緩みが生じ漏気が発生する不具合も減少させることができた。
【００１９】以上のように、この発明の空気袋式起伏ゲートは、従来の、安全性、耐久性、経済性等に優れた空気袋式起伏ゲートの水密性を確実に向上させることができるものである。
【図面の簡単な説明】
【図１】この発明の空気袋式起伏ゲートの一実施例を示し、空気袋式起伏ゲートが起立した状態の背面図である。
【図２】空気袋式起伏ゲートが起立した状態の断面図である。
【図３】空気袋式起伏ゲートが倒伏した状態の断面図である。
【図４】空気袋式起伏ゲートの扉体の説明図である。
【図５】この発明の空気袋の説明図である。
【図６】製作したばかりの空気袋の説明図である。
【符号の説明】
１　コンクリートの上面
２　アンカーボルト
３　固定台兼用押え板
４　空気袋
５　開いた辺の縁
６　繋ぎ板
７　ボルト
８　押え板
９　扉体
１０　ボルト
１１　押え板
１２　コンクリートの上面
１３　アンカーボルト
１４　押え板
１５　帯
１６　ボルト
１７　押え板
１８　曲げ加工部
１９　支持台
２０　丸棒鋼
２１　上面
２２　雌ねじ
２３　ボルト孔
２４　突起部
２５　孔
２６　口金
２７　空気管
２８　排気用開閉弁
２９　排気用流量調節弁
３０　排気放出部
３１　給気用開閉弁
３２　給気用流量調節弁
３３　空気圧縮機
３４　水路底
３５　山形鋼
【図１】
2004107933.tif 000003
【図２】
2004107933.tif 000004
【図３】
2004107933.tif 000005
【図４】
2004107933.tif 000006
【図５】
2004107933.tif 000007
【図６】
2004107933.tif 000008